(57)【要約】      （修正有）【課題】インフレータからのガスが、より急速に、且つ効率よく、バッグ内を流通し、バッグが速やかに膨張し、展開するニーエアバッグを提供する。【解決手段】袋織により製織されたエアバッグ本体１ａと、その内部の後部側に取り付けられたインナーバッグ部２ａとを備え、エアバッグ本体は、一方の布地の構成糸の一部が他方の布地に架け渡されて形成されたテザー部１２ａ、１２ｂ、１２ｃを有し、インナーバッグ部の後端側にはインフレータ１０が配設され、インナーバッグ部は、インフレータからのガスをテザー部１２ａ、１２ｂを避ける方向に導くように配置されたガス噴出部２１ａを有する。また、ガス噴出部の先端部は、インフレータからのガス圧によって破断され、ガスが噴出される噴出口閉部を有することが好ましい。【選択図】図４
2013193710.tif 000002
【特許請求の範囲】
【請求項１】
袋織により製織されたエアバッグ本体と、前記エアバッグ本体の内部の後部側に取り付けられたインナーバッグ部とを備えるニーエアバッグであって、
前記エアバッグ本体は、一方の布地の構成糸の一部が他方の布地に架け渡されて形成されたテザー部を有し、
前記インナーバッグ部の後端側にはインフレータが配設され、
前記インナーバッグ部は、前記インフレータからのガスを前記テザー部を避ける方向に導くように配置されたガス噴出部を有することを特徴とするニーエアバッグ。
【請求項２】
前記テザー部を避ける方向が複数あり、前記インナーバッグ部は、前記ガスを各々の前記方向に導くように配置された複数の前記ガス噴出部を有する請求項１に記載のニーエアバッグ。
【請求項３】
前記ガス噴出部の先端部は、前記インフレータからのガス圧によって破断され、ガスが噴出される噴出口閉部を有する請求項１又は２に記載のニーエアバッグ。
【請求項４】
前記テザー部の、少なくとも前記インナーバッグ部に対向する側が、前記インナーバッグ部の側に凸状の円弧状である請求項１乃至３のうちのいずれか１項に記載のニーエアバッグ。
【請求項５】
前記インナーバッグ部は袋織により製織されており、前記エアバッグ本体の前記後部側の非閉部の周縁部と、前記インナーバッグ部の後部側の非閉部の周縁部とが縫着されている請求項１乃至４のうちのいずれか１項に記載のニーエアバッグ。
【発明の詳細な説明】
【技術分野】
【０００１】
本発明は、ニーエアバッグに関する。更に詳しくは、本発明は、インフレータからのガスが、より急速に、且つ効率よく、バッグ内を流通するとともに、ガス圧によってテザー部等が破損することもなく、速やかに膨張し、展開するニーエアバッグに関する。
【背景技術】
【０００２】
従来、車両には、衝突時等に、膨張し、展開して、乗員に加わる衝撃を吸収し、緩和するための各種のエアバッグが装着されている。これらのエアバッグは、乗員の膝（膨張し、展開したニーエアバッグ１００が、膝Ｋの周辺に接触している図１参照）、頭部、胸部及び腰部等を保護するため、乗員の周囲の所定位置に、丸められ、折り畳まれ、又は丸められ、且つ折り畳まれて、収納されている。また、エアバッグは、衝突時等には瞬時に膨張し、展開して、乗員の所要部位を保護することができるように、所定の形状及び厚さに膨張する必要がある。そのため、エアバッグの内部の所要位置に膨張、展開時の厚さを規制するためのテザー部が設けられている。
【０００３】
内部にテザー部が設けられたエアバッグとして、織布からなる車内側壁部、車外側壁部及びテザー部が縫製糸により縫製された頭部保護エアバッグが知られている（例えば、特許文献１参照。）。この頭部保護エアバッグでは、テザー部に挿通孔が形成されており、この挿通孔を介してテザー部により仕切られた各部位に膨張用ガスが流通し、膨張する。更に、袋織によって一体に形成された第１外壁部、第２外壁部及び仕切り部（テザー部）を有し、仕切り部に、インフレータから噴出される膨張用ガスが流通可能な開口が形成されたエアバッグも知られている（例えば、特許文献２参照。）。このエアバッグでは、嵩高性を抑制でき、収納性に優れると説明されている。
【先行技術文献】
【特許文献】
【０００４】
【特許文献１】特開２００４−２４３８８７号公報
【特許文献２】特開２０１１−２０５２８号公報
【発明の概要】
【発明が解決しようとする課題】
【０００５】
特許文献１に記載された頭部保護エアバッグでは、エアバッグの形状等を自在に設定することができる、しかし、それぞれ別個の複数の部材の全てを縫製により一体化しているため、部品点数及び工数が多い。また、全体が縫製のみによって一体化されているため、重ね合わせられた織布及び縫製糸により嵩高くなり、丸めたり、折り畳んだりするときの作業性に劣り、収納し難くなることもある。
【０００６】
また、特許文献２に記載されたエアバッグは、テザー部も含め全体が袋織りによって形成されているため、部品点数及び工数ともに少ないとともに、嵩高さも抑えられる。しかし、この袋織によって形成されたエアバッグを、より高圧のガスによって急速に膨張させ、展開させる必要があるニーエアバッグとして用いた場合、特に、インフレータの側に設けられたテザー部、及びインフレータの周辺の閉部等がインフレータからの高圧ガスによって破損することがあり、耐圧性の向上が必要とされている。
【０００７】
本発明は、前述の従来の状況に鑑みてなされたものであり、インフレータからのガスが、より急速に、且つ効率よく、バッグ内を流通するとともに、ガス圧によってテザー部等が破損することもなく、速やかに膨張し、展開するニーエアバッグを提供することを目的とする。
【課題を解決するための手段】
【０００８】
各種のエアバッグのうちでも、例えば、図１０のニーエアバッグ１０４のように、その膨張、展開に、より高いガス圧が必要なエアバッグがある。しかし、図１０のようなニーエアバッグ１０４を袋織により形成した場合、前述のように、特にインフレータ１０の側に設けられたテザー部１０２ａ、及びインフレータの周辺の閉部等が、高圧ガスによって膨張時に破損することがある。そこで、エアバッグ本体内にインナーバッグを取り付け、且つこのインナーバッグによって高圧ガスの噴出方向を制御することができる構成とした。また、インナーバッグのガス噴出部に噴出口閉部を設けることで、インナーバッグからエアバッグ本体内へと噴出されるガス圧を制御することができる構成とした。
本発明は、上述の特定の構成を備えるニーエアバッグを提供するものである。
【０００９】
本発明は、以下のとおりである。
１．袋織により製織されたエアバッグ本体と、前記エアバッグ本体の内部の後部側に取り付けられたインナーバッグ部とを備えるニーエアバッグであって、
前記エアバッグ本体は、一方の布地の構成糸の一部が他方の布地に架け渡されて形成されたテザー部を有し、
前記インナーバッグ部の後端側にはインフレータが配設され、
前記インナーバッグ部は、前記インフレータからのガスを前記テザー部を避ける方向に導くように配置されたガス噴出部を有することを特徴とするニーエアバッグ。
２．前記テザー部を避ける方向が複数あり、前記インナーバッグ部は、前記ガスを各々の前記方向に導くように配置された複数の前記ガス噴出部を有する前記１．に記載のニーエアバッグ。
３．前記ガス噴出部の先端部は、前記インフレータからのガス圧によって破断され、ガスが噴出される噴出口閉部を有する前記１．又は２．に記載のニーエアバッグ。
４．前記テザー部の、少なくとも前記インナーバッグ部に対向する側が、前記インナーバッグ部の側に凸状の円弧状である前記１．乃至３．のうちのいずれか１項に記載のニーエアバッグ。
５．前記インナーバッグ部は袋織により製織されており、前記エアバッグ本体の前記後部側の非閉部の周縁部と、前記インナーバッグ部の後部側の非閉部の周縁部とが縫着されている前記１．乃至４．のうちのいずれか１項に記載のニーエアバッグ。
【発明の効果】
【００１０】
本発明のニーエアバッグでは、インナーバッグ部が、インフレータからのガスを、特にインナーバッグ部の側に設けられたテザー部を避ける方向に導くように配置されたガス噴出部を有する。そのため、インフレータからの高圧ガスが、テザー部に直接当たることがなく、テザー部の破損を防止することができる。また、インフレータがインナーバッグ部の内部の後端側に配設されているため、エアバッグ本体の閉部が高圧ガスにより破損することも防止される。
また、テザー部を避ける方向が複数あり、インナーバッグ部が、ガスを各々の方向に導くように配置された複数のガス噴出部を有する場合は、ガスがバッグ内部全体により効率よく流通し、バッグ全体をより急速に膨張させ、展開させることができる。
更に、ガス噴出部の先端部が、インフレータからのガス圧によって破断され、ガスが噴出される噴出口閉部を有する場合は、インナーバッグ部から噴出されるガス圧をより高めることができ、特にエアバッグ本体を速やかに、且つ効率よく膨張させ、展開させることができる。
また、テザー部の、少なくともインナーバッグ部に対向する側が、インナーバッグ部の側に凸状の円弧状である場合は、インナーバッグ部の周縁閉部がテザー部に接触したとしても、加わる圧が円弧面に沿って分散されるため、テザー部の破損を十分に防止することができる。
更に、インナーバッグ部は袋織により製織されており、エアバッグ本体の後部側の非閉部の周縁部と、インナーバッグ部の後部側の非閉部の周縁部とが縫着されている場合は、エアバッグ本体とインナーバッグ部とが強固に一体となり、ガス圧によるバッグの破損等を十分に防止することができる。
【図面の簡単な説明】
【００１１】
【図１】ニーエアバッグが膨張し、展開して、乗員の膝周辺に接触している様子を表す説明図である。
【図２】インナーバッグが取り付けられる後部側の幅方向に設けられた２箇所のテザー部と、前部側に設けられた幅広の１箇所のテザー部とを有するエアバッグ本体の一例の模式的な平面図である。
【図３】３箇所のガス噴出部を有するインナーバッグの一例の模式的な平面図である。
【図４】図３のインナーバッグが図２のエアバッグ本体の後部側に取り付けられてなるニーエアバッグの一例の模式的な平面図である。
【図５】３箇所のガス噴出部の先端部に噴出口閉部を有するインナーバッグの他例の模式的な平面図である。
【図６】図５のインナーバッグが図２のエアバッグ本体の後部側に取り付けられてなるニーエアバッグの他例の模式的な平面図である。
【図７】インナーバッグが取り付けられる後部側に設けられた幅広の１箇所のテザー部と、前部側の幅方向に設けられた２箇所のテザー部とを有するエアバッグ本体の後部側に、対応する形態のインナーバッグが取り付けられてなるニーエアバッグの他例の模式的な平面図である。
【図８】インナーバッグが取り付けられる後部側の幅方向に設けられた３箇所のテザー部と、前部側に設けられた幅広の１箇所のテザー部とを有するエアバッグ本体の後部側に、対応する形態のインナーバッグが取り付けられてなるニーエアバッグの他例の模式的な平面図である。
【図９】図５のインナーバッグの場合、図３のインナーバッグと比べて、ガス噴出部から噴出される初期のガス圧が高くなることを表すグラフである。
【図１０】後部側の幅方向に設けられた３箇所のテザー部、及び前部側に設けられた幅広の１箇所のテザー部を有し、インナーバッグが取り付けられていない従来のニーエアバッグの一例の模式的な平面図である。  尚、図４、６、７、８及び１０における矢印はインフレータからのガスの流れを表す。
【発明を実施するための形態】
【００１２】
以下、本発明を、図も参照しながら詳しく説明する。
ここで示される事項は例示的なもの及び本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１３】
［１］実施形態１のニーエアバッグ
（１）ニーエアバッグ
実施形態１のニーエアバッグ１００は、袋織により製織されたエアバッグ本体１ａ（図２参照）と、エアバッグ本体１ａの内部の後部側１４に取り付けられたインナーバッグ部２ａとを備える（図４参照）。また、エアバッグ本体１は、一方の布地の構成糸の一部が他方の布地に架け渡されて形成されたテザー部（図２、４のテザー部１２ａ、１２ｂ及び１２ｃ参照）を有する。更に、インナーバッグ部２ａの後端側、即ち、ニーエアバッグ１００の後端側にはインフレータ１０が配設されるとともに、インナーバッグ部２ａは、インフレータ１０からのガスをテザー部１２ａ、１２ｂを避ける方向に導くように配置されたガス噴出部２１を有する（図３参照）。
【００１４】
ニーエアバッグ１００は、車両の前後方向となる方向に丸められ、且つ車両の幅方向となる方向に折り畳まれ、通常、車両のステアリングコラムに収納されている。また、車両が衝突したとき等の衝撃時に、インフレータ１０で発生し、噴出される高圧ガスにより、ステアリングコラムと乗員の膝及びその周辺との間に介在するように膨張し、展開する（図１参照）。これにより、乗員の特に膝への衝撃が緩和され、保護されるとともに、乗員の腰部の前方への移動が抑えられ、シートベルトによる腰部への負荷も軽減される。
【００１５】
（２）エアバッグ本体
エアバッグ本体１ａは袋織りにより形成されており、その織物組織は特に限定されず、例えば、平織組織、斜子組織、斜文組織、朱子組織等の各種の織物組織とすることができる。また、織組織も、収納するため丸めたり、折り畳んだりするときの作業が容易である限り、特に限定されず、１／１組織、２／１組織、１／２組織、２／２組織、２／３組織、３／３組織、３／２組織等とすることができる。これらの織組織のうち、１／１組織、２／１組織、１／２組織、特に１／１組織では、ニーエアバッグ１００が剛直になり過ぎることがある。その場合は２／２組織等の他の織組織とすることが好ましい。
【００１６】
エアバッグ本体１ａは、樹脂及び／又はゴムを含浸させ、気密性、耐熱性等を向上させることができる。樹脂、ゴムとしては、例えば、クロロプレン系、シリコーン系、ウレタン系、ポリアミド系、ポリエステル系、ポリアクリル系、ポリオレフィン系、フッ素系、クロロスルフォン化ポリエチレン系等の樹脂、ゴムが挙げられる。樹脂及び／又はゴムを含浸させる方法は特に限定されず、エアバッグ本体１ａを構成する袋織体を、樹脂及び／又はゴムを含有するエマルションに含浸させる等の方法が挙げられる。このように樹脂及び／又はゴムを含浸させることにより、エアバッグ本体１ａの通気性を調整したり、耐熱性を向上させたりすることができる。この樹脂及び／又はゴムの含浸は、織物組織及び織組織による通気性の相違等を勘案し、必要に応じて実施することが好ましい。
【００１７】
エアバッグ本体１ａは、一方の布地の構成糸の一部が他方の布地に架け渡されて形成されたテザー部（図２、４のテザー部１２ａ、１２ｂ及び１２ｃ参照）を有する。一方の布地から他方の布地に架け渡される構成糸は、経糸又は緯糸、ニーエアバッグ１００では、通常、経糸であり、架け渡される糸長により、膨張し、展開したときのニーエアバッグ１００の厚さが規制される。ニーエアバッグ１００では、通常、平面方向に特に大きな厚薄の差を設ける必要はないため、テザー部１２ａ、１２ｂ及び１２ｃの各々を形成する構成糸は大差のない長さとすることができる。
【００１８】
ニーエアバッグにテザー部を設ける位置、及びテザー部の個数は特に限定されないが、実施形態１のニーエアバッグ１００では、図４のように、エアバッグ本体１の後部側１４（図２参照）、即ち、インナーバッグ部２ａの側の幅方向にテザー部１２ａ、１２ｂが設けられ、更にエアバッグ本体１ａの前部側１３（図２参照）にテザー部１２ｃが設けられる。また、ニーエアバッグ１００の平面方向の形状、及び寸法からみて、テザー部は図２、４のように、エアバッグ本体１の前部側１３と後部側１４との３箇所に設けることが好ましい。これにより、収納時には、容易に、丸めたり、折り畳んだりすることができ、嵩高くならず、且つ展開時には全面を所要厚さに膨張させ得るニーエアバッグ１００とすることができる。
【００１９】
更に、テザー部、特にインナーバッグ部の側に設けられたテザー部の、少なくともインナーバッグ部に対向する側は、インナーバッグ部の側に凸状の円弧状であることが好ましい。実施形態１のニーエアバッグ１００では、インナーバッグ部２ａの側に設けられたテザー部１２ａ、１２ｂの、少なくともインナーバッグ部２ａに対向する側が、インナーバッグ部２ａの側に凸状の円弧状であることが好ましい（図２、４参照）。このようにすれば、インナーバッグ部２ａの膨張時に、テザー部１２ａ、１２ｂのインナーバッグ部２ａに対向する側がインナーバッグ部２ａの前端部と接触したとしても、テザー部１２ａ、１２ｂに加わる圧が、テザー部１２ａ、１２ｂの幅方向へと分散され、テザー部１２ａ、１２ｂの破損を十分に防止することができる。
【００２０】
また、エアバッグ本体１ａは、その後部側１４が、インナーバッグ部２ａの後部側２４と縫着により一体とされ、ニーエアバッグ１００が形成されることが好ましい。そのため、エアバッグ本体１ａの後部側１４では、一方の布地と他方の布地とは閉じられていないことが好ましい。即ち、エアバッグ本体１ａの後部側１４は非閉部であることが好ましく、この非閉部の周縁部と、インナーバッグ部２ａの後部側２４の周縁部とが縫着されていることが好ましい（図４の縫着部３０参照）。これにより、エアバッグ本体１ａ及び／又はインナーバッグ部２ａの各々の周縁部全体が袋織により閉部とされているときと比べて、ニーエアバッグ１００を丸めたり、折り畳んだりしたときの嵩高さを十分に抑えることができる。
【００２１】
（３）インナーバッグ部
インナーバッグ部２ａは、インナーバッグ２０ａ（図３参照）がエアバッグ本体１ａの内部の後部側１４に取り付けられて形成される（図４参照）（尚、インナーバッグ２０ａ及びインナーバッグ部２ａの対応する各部には同一の符号を付する。）。インナーバッグ２０ａは、袋織により形成されていてもよく、２枚の布地の各々の端縁部が縫着されて形成されていてもよいが、袋織により形成されていることが好ましい。
【００２２】
インナーバッグ２０ａが袋織により形成されている場合、その織物組織及び織組織については、エアバッグ本体１ａにおける織物組織及び織組織に係る記載をそのまま適用することができる。また、インナーバッグ２０ａも、必要であれば、エアバッグ本体１ａと同様に、樹脂及び／又はゴムを含浸させ、気密性、耐熱性等を向上させることができる。この場合、エアバッグ本体１ａにおける樹脂及び／又はゴムを含浸させることに係る記載をそのまま適用することができる。
【００２３】
更に、インナーバッグ２０ａの後部側２４も閉じられていないことが好ましい。即ち、後部側２４（図３参照）は袋織であるときは非閉部であり、縫製であるときは縫着されていないことが好ましい。このように、閉じられていないインナーバッグ２０ａの後部側２４の周縁部と、前述の閉じられていないエアバッグ本体１ａの後部側１４の周縁部とを縫着することで（図４の縫着部３０参照）、丸めたり、折り畳んだりしたときの嵩高さをより十分に抑えることができる。
【００２４】
インナーバッグ部２ａの後端側には、インフレータ１０が配設されている。また、インナーバッグ部２ａの後部側２４と、エアバッグ本体１の後部側１４とは、縫着されてニーエアバッグ１００が形成されており、インフレータ１０は、ニーエアバッグ１００の後端側に配設されているともいえる。このインフレータ１０で発生し、噴出される高圧ガスは、インナーバッグ部２ａを膨張させ、展開させつつ、インナーバッグ部２ａのガス噴出部２１の先端部の開口部２１ａ（図４参照）から噴出され、エアバッグ本体１ａの、特に前部側１３内に流入する。これにより、ニーエアバッグ１００全体が膨張し、展開して、テザー部１２ａ、１２ｂ、１２ｃにより厚さが規制されるとともに、所定の形状及び厚さのニーエアバッグ１００となる。尚、インナーバッグ部２ａが袋織により形成されている場合、ガス噴出部２１の周縁、及びそれに連なる前端縁は周縁閉部２２により閉じられている（図３参照）。
【００２５】
インナーバッグ部２ａは、インフレータ１０からのガスをテザー部１２ａ、１２ｂを避ける方向に導くように配置された前述のガス噴出部２１を有する。例えば、図３のインナーバッグ２０ａの場合、エアバッグ本体１ａの後部側１４の幅方向に設けられた２個のテザー部１２ａ、１２ｂ間、及び各々のテザー部１２ａ、１２ｂとエアバッグ本体１ａの周縁閉部１１との間に、３本のガス噴出部２１が配置されるようにすることができる（図２、４参照）。更に、ガス噴出部２１の先端部を開口部２１ａとすることにより、インフレータ１０からのガスは、インナーバッグ部２ａを膨張させつつ、ガス噴出部２１の開口部２１ａからエアバッグ本体１ａ内へと噴出され、インナーバッグ部２ａとともにエアバッグ本体１ａが膨張し、展開する。また、高圧ガスがテザー部１２ａ、１２ｂに直接当たることがなく、テザー部１２ａ、１２ｂの破損が防止される。
【００２６】
［２］実施形態２のニーエアバッグ
実施形態２のニーエアバッグ１０１（図６参照）は、インナーバッグ部２ｂが有するガス噴出部２１の先端部に、噴出口閉部２１ｂを有している（図５のインナーバッグ２０ｂ、及び図６のニーエアバッグ１０１参照、尚、インナーバッグ２０ｂ及びインナーバッグ部２ｂの対応する各部には同一の符号を付する。）他は、実施形態１のニーエアバッグ１００と同じ構成を有する。即ち、エアバッグ本体１ａは実施形態１の場合と同じである。また、エアバッグ本体１ａの後部側１４及びインナーバッグ部２ｂの後部側２４（図５参照）は、いずれも閉じられておらず、エアバッグ本体１ａの後部側１４と、インナーバッグ部２ｂの後部側２４とが縫着されてニーエアバッグ１０１が形成されている（図６の縫着部３０参照）。
【００２７】
実施形態２のニーエアバッグ１０１では、噴出口閉部２１ｂが設けられているため、インフレータ１０からのガスによってインナーバッグ部２ｂのみが先に膨張する。その後、ガス圧が高まり、噴出口閉部２１ｂが耐えられないガス圧となった時点で、噴出口閉部２１ｂが破断され、高圧となったガスがエアバッグ本体１ａ内へと急激に噴出され、ニーエアバッグ１０１全体が膨張し、展開する。
【００２８】
上述のように、噴出口閉部２１ｂを設けることにより、インナーバッグ部２ｂが有するガス噴出部２１の先端部が開口部２１ａであるときと比べて、インナーバッグ部２ｂからより高圧のガスが噴出され、エアバッグ本体１ａの特に前部側１３が急速に膨張し、展開する。この場合、噴出口閉部２１ｂの耐圧性を、噴出口閉部２１ｂの幅及び／又は織組織を変化させることによって、インナーバッグ部２ｂの周縁閉部２２、及びインナーバッグ２の後部側２４とエアバッグ本体１ａの後部側１４との縫着部３０の各々の耐圧性を超えない範囲で調整することができる。これにより、ガス噴出部２１から噴出されるガス圧を制御することができ、ニーエアバッグ１０１全体の膨張、展開の挙動を制御することができる。
【００２９】
また、噴出口閉部２１ｂを設けたときは、インナーバッグ部２ｂが十分に膨張し、噴出口閉部２１ｂが耐圧を超えて破断され、その後、エアバッグ本体１ａ内にガスが噴出され、ニーエアバッグ１０１全体が膨張し、展開することになる。そのため、ガス噴出部２１の先端部が噴出口閉部２１ｂではなく、開口部２１ａであるときと比べて、エアバッグ本体１ａ内へのガスの噴出、及びエアバッグ本体１ａの膨張、展開が時間的に僅かではあるが遅れることになる。一方、ガス噴出部２１の先端部が開口部２１ａであるときは、低圧ではあるが、本体バッグ１ａ内へのガスの噴出が僅かに早く開始される。従って、噴出口閉部２１ｂが破断するガス圧と、エアバッグ本体１ａ内へのガスの噴出の時間的な遅れとを勘案し、ニーエアバッグ１０１全体がより急速に、且つ十分に膨張し、展開するように、噴出口閉部２１ｂの耐圧性を調整することが好ましい。
【実施例】
【００３０】
以下、実施例により本発明をより具体的に説明する。
実験例１
以下の２種類のインナーバッグ（いずれも前部側は袋織により製織されており、後部側は縫着されている。）内を加圧した時の、ガス噴出部から噴出されるガスの、特に噴出初期のガス圧の挙動を比較して検討した。（１）のインナーバッグでは、端縁閉部の幅は１０ｍｍであり、（２）のインナーバッグでは、端縁閉部の幅は（１）と同じであるのに対して、噴出口閉部の幅は１ｍｍとした。
（１）図３の、ガス噴出部２１の先端部が開口部２１ａとなっているインナーバッグ２０ａを用いた。
（２）図５の、ガス噴出部２１の先端部が、周縁閉部２２と同時に袋織により設けられた噴出口閉部２１ｂとなっているインナーバッグ２０ｂを用いた。
【００３１】
前部側２３が袋織により形成され、後部側２４が縫着された上述の２種類のインナーバッグ２０ａ、２０ｂ内に、圧縮された窒素ガスを、畜圧条件５リットル、５ＭＰａで導入した。その結果、図９のように、ガス噴出部２１の先端部が開口部２１ａとなっている上記（１）のインナーバッグ２０ａでは、約７０ｍｓｅｃ後に内圧が約３８０ｋＰａと最大値になり、それ以降は時間の経過とともに降圧し、４５０ｍｓｅｃ後には圧力は約７０ｋＰａにまで低下した。一方、ガス噴出部２１の先端部に噴出口閉部２１ｂが設けられた上記（２）のインナーバッグ２０ｂでは、ガス圧は急激に上昇し、約３０ｍｓｅｃ後に約６００ｋＰａと最大値になり、この時点で噴出口閉部２１が破断した。それ以降、圧は急激に低下し、約７０ｍｓｅｃ経過後以降は、ガス噴出部２１の先端部が開口部２１ａとなっている上記（１）のインナーバッグ２０ａの場合と、略同様に降圧した。
【００３２】
上述のように、図３の、ガス噴出部２１の先端部が開口部２１ａとなっているインナーバッグ２０ａと、図５の、端縁閉部２１と同時に袋織により設けられた噴出口閉部２１ｂを有するインナーバッグ２０ｂとで、ガス噴出部２１から噴出されるガス圧の初期の挙動は全く異なっており、噴出される初期のガス圧が効果的に制御されていることが分かる。また、噴出口閉部２１ｂの幅及び／又は織組織により、噴出されるガス圧の最大値及びその後の圧の挙動を制御し得ることが推察される。
【００３３】
尚、本発明においては、前述の具体的な実施形態の記載に限られず、目的、用途に応じて本発明の範囲内で種々変更した実施形態とすることができる。例えば、前述の実施形態１、２では、インフレータ１０からのガスは、テザー部１２ａ、１２ｂを避けるように３方向に導かれている。ニーエアバッグ１００、１０１の平面方向の寸法を考慮すると、３方向であることが好ましいが、このインフレータ１０からのガスをテザー部を避けるように導く方向数は特に限定されず、例えば、２〜４方向とすることができる。
【００３４】
より具体的には、図７のように、インナーバッグ部２ｃの前端縁に沿うように幅広のテザー部１２ｄを設け、テザー部１２ｄの両端部と、エアバッグ本体１ｂの端縁閉部１１との間にガス噴出部２１を配置させ、ガスが２方向に導かれるようにすることもできる。更に、図８のように、エアバッグ本体１ｃのインナーバッグ部２ｄの側の幅方向に３個のテザー部１２ｇ、１２ｈ、１２ｉを設け、それぞれのテザー部間、及びテザー部１２ｇ、１２ｉの各々とエアバッグ本体１ｃの端縁閉部１１との間に、合計４本のガス噴出部２１が配置されたインナーバッグ部２ｄとすることもできる。即ち、ガスを４方向に導くようにガス噴出部２１を配置させることもできる。
【００３５】
また、上述の図７のように、テザー部１２ｄの両端側からガスが噴出される形態では、エアバッグ本体１ｂの幅方向の中央部の膨張が遅れることも有り得る。そのため、開口部２１ａ又は噴出口閉部２１ｂからのガスがエアバッグ本体１ｂの全幅により均等に噴出されるようにガスの噴出方向を調整する等、の配慮が必要となることもある。また、上述の図７、８のいずれの場合も、テザー部の少なくともインナーバッグ部に対向する側を、インナーバッグ部の側に凸状の円弧状にすることが好ましい。これにより、インナーバッグ部の膨張時に、テザー部のインナーバッグ部に対向する側に加わる圧が、テザー部の幅方向へと分散され、テザー部の破損が十分に防止される。
【００３６】
更に、実施形態１、２のテザー部１２ａ、１２ｂでは、インナーバッグ部２ａに対向する側のみが、インナーバッグ部２ａの側に凸状の円弧状となっており、両端部が丸みを帯びている他は、反対側は直線状になっているが、この反対側も、インナーバッグ部２ａに対向する側へ凸状の、又は反対側へ凸状の円弧状に形成されていてもよい。例えば、テザー部１２ａ、１２ｂの平面形状は楕円形などであってもよい。更に、他の形態においても、テザー部のインナーバッグ部に対向する側と反対側は、同様に、直線状であってもよく、円弧状であってもよい。これらのテザー部の平面形状は、袋織時のテザー部の形成が容易であること等を勘案して設定することができる。
【００３７】
また、前述の例は単に説明を目的とするものでしかなく、本発明を限定するものと解釈されるものではない。本発明を典型的な実施態様の例を挙げて説明したが、本発明の記述及び図示において使用された文言は、限定的な文言ではなく、説明的および例示的なものであると理解される。ここで詳述したように、その態様において本発明の範囲又は精神から逸脱することなく、添付の特許請求の範囲内で変更が可能である。ここでは、本発明の詳述に特定の構造、材料及び実施態様を参照したが、本発明をここにおける開示事項に限定することを意図するものではなく、寧ろ、本発明は添付の特許請求の範囲内における、機能的に同等の構造、方法、使用の全てに及ぶものとする。
【産業上の利用可能性】
【００３８】
本発明は、車両用のニーエアバッグの技術分野において利用することができる。特に、インナーバッグ部を備えることで、インフレータからのガスがテザー部に直接当たらない構造とすることができ、膨張、展開により高圧のガスを必要とするニーエアバッグの技術分野において好適に利用することができる。
【符号の説明】
【００３９】
１００、１０１、１０２、１０３、１０４；ニーエアバッグ、１ａ、１ｂ、１ｃ；エアバッグ本体、１１；周縁閉部、１２ａ、１２ｂ、１２ｃ、１２ｄ、１２ｅ、１２ｆ、１２ｇ、１２ｈ、１２ｉ、１２ｊ；テザー部、１３；前部側、１４；後部側、２ａ、２ｂ、２ｃ、２ｄ；インナーバッグ部、２１；ガス噴出部、２１ａ；開口部、２１ｂ；噴出口閉部、２２；周縁閉部、２３；前部側、２４；後部側、１０；インフレータ、２０ａ、２０ｂ；インナーバッグ、３０；縫着部、Ｈ；ステアリングホイール、Ｋ；膝、Ｓ；シート。
【図１】
2013193710.tif 000003
【図２】
2013193710.tif 000004
【図３】
2013193710.tif 000005
【図４】
2013193710.tif 000006
【図５】
2013193710.tif 000007
【図６】
2013193710.tif 000008
【図７】
2013193710.tif 000009
【図８】
2013193710.tif 000010
【図９】
2013193710.tif 000011
【図１０】
2013193710.tif 000012